(57)【要約】【課題】日除け板の機能を損なうことなく、日除け板と機器本体との間の通気性を確保できる電子機器を得ることにある。【解決手段】電子機器は、機器本体と、機器本体の上面および周面を機器本体の外側から覆うように構成され、上面および周面から離れた日除け板とを備えている。機器本体の周面を覆う日除け板は、当該日除け板の外に通じる開口と、当該開口を機器本体の周面の方向から覆うように構成された突出部と、を含んでいる。突出部は、開口の周囲で日除け板から機器本体の周面に向けて突出されているとともに、当該突出部に開口よりも上側で機器本体と日除け板との間に通じる換気口が設けられている。【選択図】図１
2013065635.tif 000002
【特許請求の範囲】
【請求項１】
機器本体と、
前記機器本体の上面および周面を前記機器本体の外側から覆うように構成され、前記上面および前記周面から離れた日除け板と、を備え、
前記機器本体の前記周面を覆う前記日除け板は、
当該日除け板の外に通じる開口と、
前記日除け板の前記開口を前記機器本体の前記周面の方向から覆うように構成され、前記開口の周囲で前記日除け板から前記機器本体の前記周面に向けて突出された突出部と、を含み、
前記突出部に、前記開口よりも上側で前記機器本体と前記日除け板との間の隙間に通じる換気口が設けられた電子機器。
【請求項２】
請求項１の記載において、前記突出部は、前記日除け板の前記開口と向かい合う端壁を有し、当該端壁が前記機器本体の前記周面に固定された電子機器。
【請求項３】
請求項１又は請求項２の記載において、前記換気口は、前記機器本体の前記周面と前記日除け板との間で前記機器本体の高さ方向に沿って上向きに開口された電子機器。
【請求項４】
請求項１の記載において、前記機器本体の前記周面を覆う前記日除け板と、前記機器本体の前記上面を覆う前記日除け板との間に排気口が形成され、前記排気口は、前記換気口よりも前記機器本体の高さ方向に沿う上側に位置された電子機器。
【請求項５】
機器本体と、
前記機器本体の上面を前記機器本体の外側から覆うように構成された第１の日除け板と、
前記機器本体の周面を前記機器本体の外側から覆うように構成され、少なくとも一つの開口が設けられた第２の日除け板と、
前記第２の日除け板の前記開口を前記機器本体の前記周面の方向から覆うように前記周面と前記第２の日除け板との間に介在され、前記第２の日除け板を前記機器本体に保持するとともに、前記開口よりも上側で前記機器本体の前記周面と前記第２の日除け板との間に通じる換気口が設けられた少なくとも一つのブラケットと、
を具備する電子機器。
【請求項６】
請求項５の記載において、前記ブラケットは、前記開口の上側で前記第２の日除け板から前記機器本体の前記周面に向けて突出された第１の壁部と、前記開口の下側で前記第２の日除け板から前記機器本体の前記周面に向けて突出された第２の壁部と、前記第１の壁部の突出端と前記第２の壁部の突出端との間に跨るとともに前記開口と向かい合う第３の壁部と、を含み、前記換気口が前記第１の壁部に設けられた電子機器。
【請求項７】
請求項６の記載において、前記ブラケットの前記第３の壁部が前記機器本体の前記周面に固定された電子機器。
【請求項８】
請求項７の記載において、前記換気口は、前記機器本体の前記周面と前記第２の日除け板との間で前記機器本体の高さ方向に沿って上向きに開口された電子機器。
【請求項９】
請求項６の記載において、前記機器本体の前記上面を覆う前記第１の日除け板と前記機器本体の前記周面を覆う前記第２の日除け板との間に排気口が形成され、前記排気口は、前記換気口よりも前記機器本体の高さ方向に沿う上側に位置された電子機器。
【請求項１０】
機器本体と、
前記機器本体の上面を前記機器本体の外側から覆うように構成された第１の日除け板と、
前記機器本体の周面を前記機器本体の外側から覆うように構成された第２の日除け板と、
前記第２の日除け板の一部を前記機器本体の前記周面に向けて切り起こすことにより構成され、前記第２の日除け板に開口を規定する曲げ部と、を備え、
前記曲げ部は、前記開口の下縁から前記前記機器本体の前記周面に向かう第１の壁部と、前記第１の壁部の突出端から上向きに曲げられて前記開口と向かい合う第２の壁部と、を含み、
前記第２の壁部の上縁と前記第２の日除け板との間に前記開口に通じる換気口が設けられるとともに、前記換気口は、前記機器本体と前記第２の日除け板との間で前記機器本体の高さ方向に沿って上向きに開口された電子機器。
【請求項１１】
請求項１０の記載において、前記曲げ部の前記第２の壁部が前記機器本体の前記周面に固定された電子機器。
【請求項１２】
請求項１０の記載において、前記機器本体の前記上面を覆う前記第１の日除け板と前記機器本体の前記周面を覆う前記第２の日除け板との間に排気口が形成され、前記排気口は、前記換気口よりも前記機器本体の高さ方向に沿う上側に位置された電子機器。
【発明の詳細な説明】
【技術分野】
【０００１】
本発明の実施形態は、日除け板を備えた電子機器に関する。
【背景技術】
【０００２】
例えば屋外に設置された通信機器のような電子機器は、日射による機器本体の温度上昇を防止する日除け板を備えている。日除け板は、日射に耐え得るような薄い金属板で構成され、機器本体の少なくとも上面、前面および側面を覆っている。
【先行技術文献】
【特許文献】
【０００３】
【特許文献１】実開平２−１０６８８２号公報
【特許文献２】特開２００４−３１９５３９号公報
【発明の概要】
【発明が解決しようとする課題】
【０００４】
日除け板が風に煽られて変形したり、がたつくのを防ぐためには、日除け板と機器本体との間の隙間に風が入り難い構造とすることが望まれる。
【０００５】
しかしながら、隙間を密閉すると、機器本体から放出された熱が隙間に滞留する。そのため、機器本体の放熱性が悪くなり、機器本体の温度上昇を招く要因となる。
【０００６】
一方、日除け板に孔を開けて隙間の通気性を確保した場合、太陽の光が日除け板の孔から隙間に射し込むのを否めない。この結果、日除け板の本来の機能が損なわれてしまい、日射による機器本体の温度上昇を防ぐことができなくなる。
【課題を解決するための手段】
【０００７】
実施形態によれば、電子機器は、機器本体と、前記機器本体の上面および周面を前記機器本体の外側から覆うように構成され、前記上面および前記周面から離れた日除け板と、を備えている。
【０００８】
前記機器本体の前記周面を覆う前記日除け板は、当該日除け板の外に通じる開口と、当該開口を前記機器本体の前記周面の方向から覆うように構成された突出部とを含んでいる。前記突出部は、前記開口の周囲で前記日除け板から前記機器本体の前記周面に向けて突出されているとともに、前記突出部に前記開口よりも上側で前記機器本体と前記日除け板との間の隙間に連じる換気口が設けられている。
【図面の簡単な説明】
【０００９】
【図１】第１の実施形態に係る電子機器の断面図。
【図２】第１の実施形態に係る電子機器の斜視図。
【図３】第１の実施形態に係る電子機器の平面図。
【図４】図３のＦ４−Ｆ４線に沿う断面図。
【図５】第２の実施形態に係る電子機器の断面図。
【図６】第２の実施形態に係る電子機器の斜視図。
【図７】図６のＦ７−Ｆ７線に沿う断面図。
【発明を実施するための形態】
【００１０】
［第１の実施形態］
以下、第１の実施形態について、図１ないし図４を参照して説明する。
【００１１】
図１ないし図３は、屋外で使用する通信機器１を示している。通信機器１は、電子機器の一例であって、例えば地面２の上に台座３を介して据え付けられている。通信機器１は、機器本体４、上部日除け板５、一対の側部日除け板６，７、後部日除け板８および前部日除け板９を備えている。
【００１２】
機器本体４は、筐体１１と前扉１２とで構成されている。筐体１１は、上面１３、左右の側面１４ａ，１４ｂ、背面１５および底面１６を有する四角い箱形であり、背面１５と向かい合う前端が筐体１１の前方に向けて開口されている。筐体１１は、地面２から垂直に起立された姿勢で台座３の上に支持されている。
【００１３】
複数のボス部１７が筐体１１の上面１３、側面１４ａ，１４ｂおよび背面１５に一体に形成されている。上面１３に形成されたボス部１７は、上面１３の四つの角部の付近から筐体１１の上方に突出されている。側面１４ａ，１４ｂに形成されたボス部１７は、夫々側面１４ａ，１４ｂの四つの角部の付近から筐体１１の側方に突出されている。背面１５に形成されたボス部１７は、背面１５の四つの角部の付近から筐体１１の後方に突出されている。
【００１４】
さらに、筐体１１は、例えば電源モジュールおよび通信用の回路モジュールを収容している。電源モジュールおよび回路モジュールは、動作中に発熱する複数の回路部品を含んでいる。
【００１５】
前扉１２は、例えば筐体１１に取り外し可能に支持されて、筐体１１の前端を密閉している。そのため、第１の実施形態では、筐体１１の側面１４ａ，１４ｂ、背面１５および前扉１２が機器本体４の周方向に連続されて、機器本体４の周面を構成している。
【００１６】
さらに、複数のボス部１８が前扉１２の前面に一体に形成されている。ボス部１８は、前扉１２の前面の四つの角部の付近から前扉１２の前方に向けて突出されている。
【００１７】
図１に示すように、第１の日除け板としての上部日除け板５は、例えば板金材で構成された四角い板であり、機器本体４を上方から覆っている。フランジ部１９が上部日除け板５の外周縁に一体に形成されている。フランジ部１９は、上部日除け板５の周方向に連続するとともに、上部日除け板５の外周縁から下向きに直角に折り曲げられている。
【００１８】
側部日除け板６，７は、例えば板金材で構成された縦長の四角い板であり、夫々機器本体４を左側方および右側方から覆っている。
【００１９】
左側の側部日除け板６は、一対のフランジ部６ａ，６ｂを有している。フランジ部６ａ，６ｂは、側部日除け板６の前縁および後縁から側部日除け板６の右側に向けて直角に折り曲げられている。同様に、右側の側部日除け板７は、一対のフランジ部７ａ，７ｂを有している。フランジ部７ａ，７ｂは、側部日除け板７の前縁および後縁から側部日除け板７の左側に向けて直角に折り曲げられている。
【００２０】
後部日除け板８は、例えば板金材で構成された縦長の四角い板であり、機器本体４の筐体１１を後方から覆っている。
【００２１】
さらに、前部日除け板９は、例えば板金材で構成された縦長の四角い板であり、機器本体４の前扉１２を前方から覆っている。前部日除け板９は、側部日除け板６のフランジ部６ａ，６ｂと、側部日除け板７のフランジ部７ａ，７ｂとの間に位置されている。
【００２２】
したがって、第１の実施形態では、側部日除け板６，７、後部日除け板８および前部日除け板９が第２の日除け板を構成するとともに、互いに協働して機器本体４を外側から取り囲んでいる。
【００２３】
図１ないし図３に示すように、側部日除け板６，７、後部日除け板８および前部日除け板９は、夫々一対のスリット状の開口２２ａ，２２ｂを有している。側部日除け板６，７に設けられたスリット２２ａ，２２ｂは、夫々機器本体４の奥行き方向に延びているとともに、機器本体４の高さ方向に間隔を存して互いに平行に配置されている。
【００２４】
後部日除け板８および前部日除け板９に設けられた開口２２ａ，２２ｂは、夫々機器本体４の幅方向に延びているとともに、機器本体４の高さ方向に間隔を存して互いに平行に配置されている。
【００２５】
図１ないし図３に示すように、上部日除け板５、側部日除け板６，７、後部日除け板８および前部日除け板９は、夫々一対のブラケット２３を介して機器本体４に支持されている。ブラケット２３は、互いに同一の構成を有する共通の要素であって、例えば板金材を折り曲げることで構成されている。
【００２６】
具体的には、ブラケット２３は、本体２４と一対の支持部２５ａ，２５ｂとを備えている。本体２４は、第１ないし第３の壁部２６ａ，２６ｂ，２６ｃを有している。第１ないし第３の壁部２６ａ，２６ｂ，２６ｃは、夫々細長い板状である。第１の壁部２６ａおよび第２の壁部２６ｂは、互いに対向し合うように間隔を存して平行に配置されている。第３の壁部２６ｃは、第１の壁部２６ａの長手方向に沿う一側縁と第２の壁部２６ｂの長手方向に沿う一側縁との間に跨っている。
【００２７】
言い換えると、第３の壁部２６ｃは、第１の壁部２６ａと第２の壁部２６ｂとの間を結んでいるとともに、第１および第２の壁部２６ａ，２６ｂと略直交する方向に延びている。
【００２８】
さらに、複数の換気口２７がブラケット２３の第１の壁部２６ａに設けられている。換気口２７は、第１の壁部２６ａを厚さ方向に貫通するとともに、第１の壁部２６ａの長手方向に間隔を存して一列に並んでいる。
【００２９】
一方の支持部２５ａは、第１の壁部２６ａの長手方向に沿う他側縁から略直角に折り曲げられて、本体２４の外にフランジ状に張り出している。他方のフランジ部２５ｂは、第２の壁部２６ｂの長手方向に沿う他側縁から略直角に折り曲げられて、本体２４の外にフランジ状に張り出している。
【００３０】
図１および図３に示すように、上部日除け板５に対応するブラケット２３の支持部２５ａ，２５ｂは、夫々一対のねじ２８を介して上部日除け板５の内面に固定されている。ブラケット２３は、筐体１１の幅方向に延びているとともに、筐体１１の奥行き方向に間隔を存して平行に並んでいる。
【００３１】
ブラケット２３の本体２４は、上部日除け板５の内面から筐体１１の上面１３に向けて突出されている。ブラケット２３の第３の壁部２６ｃは、上面１３の上のボス部１７の先端面にねじ２９で固定されている。このことにより、上部日除け板５が本体１１の上面１３に保持されて、フランジ部１９を有する日除け板５の外周部が機器本体４の周囲に張り出している。
【００３２】
さらに、ブラケット２３の存在により、上部日除け板５は、本体１１の上面１３から離れている。このため、上部日除け板５が日射を受けて加熱された場合でも、上部日除け板５の熱が筐体１１に直に伝わらないようになっている。
【００３３】
図２および図３に示すように、側部日除け板６，７に対応するブラケット２３の支持部２５ａ，２５ｂは、夫々一対のねじ２８を介して側部日除け板６，７の内面に固定されている。ブラケット２３は、側部日除け板６，７の開口２２ａ，２２ｂに対応した位置で筐体１１の奥行き方向に延びているとともに、筐体１１の高さ方向に間隔を存して平行に並んでいる。
【００３４】
ブラケット２３の本体２４は、側部日除け板６，７の内面から筐体１１の側面１４ａ，１４ｂに向けて突出されている。本体２４は、側部日除け板４ａ，４ｂから筐体１１の側面１４ａ，１４ｂに向けて突出する突出部と言い換えることができる。
【００３５】
ブラケット２３の第３の壁部２６ｃは、側面１４ａ，１４ｂの上のボス部１７の先端面にねじ２９で固定されている。このことにより、側部日除け板４ａ，４ｂが筐体１１の側面１４ａ，１４ｂに保持されている。
【００３６】
さらに、ブラケット２３の存在により、側部日除け板６，７は、筐体１１の側面１４ａ，１４ｂから離れている。このため、側部日除け板６，７と筐体１１の側面１４ａ，１４ｂとの間に隙間３０が形成されている。隙間３０は、側部日除け板６，７の下縁と地面２との間に開放されている。
【００３７】
図１ないし図４に示すように、側部日除け板６，７の内面に固定されたブラケット２３の第１の壁部２６ａは、開口２２ａ，２２ｂの上縁に沿って機器本体４の奥行き方向に延びているとともに、開口２２ａ，２２ｂの上縁から筐体１１の側面１４ａ，１４ｂに向けて突出されている。
【００３８】
ブラケット２３の第２の壁部２６ｂは、開口２２ａ，２２ｂの下縁に沿って機器本体４の奥行き方向に延びているとともに、開口２２ａ，２２ｂの下縁から筐体１１の側面１４ａ，１４ｂに向けて突出されている。
【００３９】
ブラケット２３の第３の壁部２６ｃは、隙間３０内で開口２２ａ，２２ｂと向かい合っている。そのため、ブラケット２３は、筐体１１の側面１４ａ，１４ｂの方向から開口２２ａ，２２ｂを覆っている。
【００４０】
図１、図３および図４に示すように、ブラケット２３の換気口２７は、開口２２ａ，２２ｂの上側で側部日除け板６，７と筐体１１の側面１４ａ，１４ｂとの間の隙間３０に通じているとともに、機器本体４の高さ方向に沿って上向きに開口されている。さらに、換気口２７は、第１の壁部２６ａと第２の壁部２６ｂとの間から開口２２ａ，２２ｂに通じている。
【００４１】
したがって、側部日除け板６，７と筐体１１の側面１４ａ，１４ｂとの間の隙間３０は、換気口２７および開口２２ａ，２２ｂを介して通信機器１の外に連通されている。
【００４２】
第１の実施形態によると、ブラケット２３の長手方向に沿う両端は、閉塞されることなく隙間３０に開口されている。このため、側部日除け板６，７と筐体１１の側面１４ａ，１４ｂとの間の隙間３０は、ブラケット２３の長手方向に沿う両端からも開口２２ａ，２２ｂに通じている。
【００４３】
図１および図３に示すように、後部日除け板８に対応するブラケット２３は、前記側部日除け板６，７に対応するブラケット２３と同様の構成で筐体１１の背面１５のボス部１７に固定されている。
【００４４】
前扉１２に対応するブラケット２３は、前記側部日除け板６，７に対応するブラケット２３と同様の構成で前扉１２筐体１１の前面のボス部１８に固定されている。
【００４５】
この結果、後部日除け板８と筐体１１の背面１５との間、および前部日除け板９と前扉１２との間にも夫々隙間３０が形成されている。後部日除け板８と筐体１１の背面１５との間の隙間３０は、ブラケット２３の換気口２７および後部日除け板８の開口２２ａ，２２ｂから通信機器１の外に通じているとともに、後部日除け板８の下縁と地面２との間に開放されている。
【００４６】
同様に、前部日除け板９と前扉１２との間の隙間３０は、ブラケット２３の換気口２７および前部日除け板９の開口２２ａ，２２ｂから通信機器１の外に通じているとともに、前部日除け板９の下縁と地面２との間に開放されている。
【００４７】
図１ないし図３に示すように、上部日除け板５、側部日除け板６，７、後部日除け板８および前部日除け板９を機器本体４に固定した状態では、上部日除け板５のフランジ部１９の下縁と側部日除け板６，７の上縁、後部日除け板８の上縁および前部日除け板９の上縁との間にスリット状の排気口３２が形成されている。排気口３２は、上部日除け板５、側部日除け板６，７、後部日除け板８および前部日除け板９に個々に設けられた開口２２ａ，２２ｂよりも機器本体４の高さ方向に沿う上側に位置されている。
【００４８】
第１の実施形態によると、屋外に設置された通信機器１は、風雨に直に晒される。このため、通信機器１に向かう風は、側部日除け板６，７の下縁、後部日除け板８の下縁および前部日除け板９の下縁と地面２との間から機器本体４を取り囲む隙間３０の下端に流れ込む。
【００４９】
この際、機器本体４の筐体１１および前扉１２は、筐体１１に収容された回路部品の熱影響を受けるので、回路部品の熱が筐体１１および前扉１２から隙間３０に放出される。そのため、隙間３０に対流が生じ、隙間３０の下端に流れ込んだ外気が隙間３０を伝わって上向きに流れる。
【００５０】
さらに、第１の実施形態では、側部日除け板６，７、後部日除け板８および前部日除け板９にスリット状の開口２２ａ，２２ｂが形成され、開口２２ａ，２２ｂは、ブラケット２３の換気口２７から隙間３０に通じている。これにより、通信機器１の周囲の外気が開口２２ａ，２２ｂから換気口２７を通って隙間３０に流れ込むとともに、隙間３０内の対流に乗じて上向きに流れる。
【００５１】
隙間３０の上部に導かれた外気は、排気口３２を通じて通信機器１の外に排出される。この結果、隙間３０の通気性が確保され、機器本体４から隙間３０に放出された回路部品の熱が隙間３０に滞留し難くなる。
【００５２】
よって、機器本体４の過熱を防止することができ、通信機器１の動作環境を良好に維持することができる。
【００５３】
一方、屋外に設置された通信機器１は、例えば図１に矢印Ｓで示すように日射を受ける。通信機器１の機器本体４に向かう日射は、上部日除け板５、側部日除け板６，７、後部日除け板８および前部日除け板９によって遮られるので、日射による機器本体４の温度上昇を防止することができる。
【００５４】
第１の実施形態では、隙間３０に外気を取り入れる開口２２ａ，２２ｂが側部日除け板６，７、後部日除け板８および前部日除け板９に設けられている。開口２２ａ，２２ｂは、側部日除け板６，７、後部日除け板８および前部日除け板９を機器本体４に保持するブラケット２３により機器本体４の方向から覆われている。
【００５５】
このため、例えば前部日除け板９の開口２２ａ，２２ｂに太陽の光が射し込んだとしても、この光はブラケット２３の第２の壁２６ｂおよび第３の壁２６ｃによって遮られる。
【００５６】
よって、側部日除け板６，７、後部日除け板８および前部日除け板９に通気用の開口２２ａ，２２ｂを設けたにも拘らず、太陽の光が開口２２ａ，２２ｂから隙間３０に射し込むのを回避することができる。したがって、側部日除け板６，７、後部日除け板８および前部日除け板９の本来の機能が損なわれずに済み、日射による機器本体４の温度上昇を防止することができる。
【００５７】
加えて、開口２２ａ，２２ｂに射し込む太陽の光をブラケット２３で遮ることができるので、屋外に通信機器１を設置するに当たって、季節毎の太陽の位置や日が射す方向を考慮する必要はない。よって、通信機器１を屋外に設置する上での自由度が増大する。
【００５８】
さらに、第１の実施形態によると、上部日除け板５、側部日除け板６，７、後部日除け板８および前部日除け板９は、共通のブラケット２３で機器本体４に保持されている。そのため、上部日除け板５、側部日除け板６，７、後部日除け板８および前部日除け板９に個々に対応する専用のブラケットを準備する必要はない。よって、通信機器１を構成する部品の種類を少なくすることができ、通信機器１のコストを低減できる。
【００５９】
それとともに、側部日除け板６，７、後部日除け板８および前部日除け板９を機器本体４に固定するブラケット２３は、夫々換気口２７を上向きにした姿勢で側部日除け板６，７、後部日除け板８および前部日除け板９にねじ止めすればよい。
【００６０】
これにより、ブラケット２３を側部日除け板６，７、後部日除け板８および前部日除け板９に固定する際のブラケット２３の向きが定まり、ブラケット２３を側部日除け板６，７、後部日除け板８および前部日除け板９に固定する作業を容易に行うことができる。
【００６１】
第１の実施形態では、通信機器を地面の上に設置したが、例えば電柱や建物の外側面に据え付けるようにしてもよい。通信機器を建物の外側面に据え付ける場合は、筐体の背面が建物の外側面に面するので、筐体の背面を覆う後部日除け板を省略することが可能である。
【００６２】
さらに、第１の実施形態では、ブラケットの支持部をねじで日除け板に固定したが、ねじの代わりにリベットを用いてもよいし、あるいはスポット溶接で日除け板に固定してもよい。
【００６３】
加えて、各日除け板に設ける通気用の開口の数は第１の実施形態に特定されるものではなく、例えば３個以上の開口を各日除け板に設けてもよい。同様に、換気口の数にしても第１の実施形態に特定されないことは勿論である。
【００６４】
［第２の実施形態］
図５ないし図７は、第２の実施形態を開示している。第２の実施形態は、側部日除け板、後部日除け板および前部日除け板を機器本体に保持する構成が第１の実施形態と相違しており、これ以外の通信機器の構成は、第１の実施形態と同様である。そのため、第２の実施形態において、第１の実施形態と同一の構成部分には同一の参照符号を付して、その説明を省略する。
【００６５】
図５ないし図７に示すように、側部日除け板６，７、後部日除け板８および前部日除け板９の開口２２ａ，２２ｂは、側部日除け板６，７、後部日除け板８および前部日除け板９を機器本体４に向けて部分的に切り起こすことで構成されている。このため、側部日除け板６，７、後部日除け板８および前部日除け板９は、夫々隙間３０に向けて一体的に張り出す一対の曲げ部４０を備えている。
【００６６】
曲げ部４０は、第１の壁部４１と第２の壁部４２とで構成されている。第１の壁部４１は、開口２０ａ，２０ｂの下縁から隙間３０に向けて水平に延びている。第２の壁部４２は、第１の壁部４１の突出端から上向きに略垂直に折り曲げられて、隙間３０内で開口２０ａ，２０ｂと向かい合っている。
【００６７】
側部日除け板６，７に対応する曲げ部４０の第２の壁部４２は、筐体１１の側面１４ａ，１４ｂから突出されたボス部１７の先端面にねじ２９で固定されている。このことにより、側部日除け板６，７が筐体１１の側面１４ａ，１４ｂに保持されている。
【００６８】
後部日除け板８に対応する曲げ部４０の第２の壁部４２は、筐体１１の背面１５から突出されたボス部１７の先端面にねじ２９で固定されている。このことにより、後部日除け板８が筐体１１の背面１５に保持されている。
【００６９】
同様に、前部日除け板９に対応する曲げ部４０の第２の壁部４２は、前扉１２の前面から突出されたボス部１８の先端面にねじ２９で固定されている。このことにより、前部日除け板９が前扉１２に保持されている。
【００７０】
したがって、曲げ部４０は、側部日除け板６，７、後部日除け板８および前部日除け板９から機器本体４に向けて突出する突出部と言い換えることができる。
【００７１】
さらに、曲げ部４０の存在により、側部日除け板６，７、後部日除け板８および前部日除け板９は、夫々機器本体４から離れているとともに、機器本体４と側部日除け板６，７、後部日除け板８および前部日除け板９との間に隙間３０が形成されている。
【００７２】
図５および図７に示すように、曲げ部４０の第２の壁部４２の上縁は、側部日除け板６，７、後部日除け板８および前部日除け板９との間に換気口４４を規定している。換気口４４は、隙間３０内で機器本体４の高さ方向に沿って上向きに開口されているとともに、曲げ部４０の第１の壁部４１と向かい合っている。さらに、換気口４４は、開口２２ａ，２２ｂに通じている。
【００７３】
この結果、機器本体４の周囲に位置された隙間３０は、開口２２ａ，２２ｂおよび換気口４４を介して通信機器１の外に連通されている。
【００７４】
第２の実施形態によると、側部日除け板６，７、後部日除け板８および前部日除け板９から一体に切り起こされた曲げ部４０は、通気用の開口２０ａ，２０ｂの下縁から隙間３０に向かう第１の壁部４１と、第１の壁部４１の突出端から上向きに略直角に折り曲げられた第２の壁部４２とを備えている。第１の壁部４１および第２の壁部４２は、機器本体４の方向から通気用の開口２２ａ，２２ｂを覆っている。
【００７５】
このため、図５に矢印Ｓで示すように、例えば前部日除け板９の開口２２ａ，２２ｂに太陽の光が射し込んだとしても、この光は曲げ部４０によって遮られる。よって、第１の実施形態と同様に、側部日除け板６，７、後部日除け板８および前部日除け板９の本来の機能が損なわれずに済み、隙間３０の通気性を確保しつつ、日射による機器本体４の温度上昇を防止することができる。
【００７６】
加えて、第２の実施形態によれば、側部日除け板６，７、後部日除け板８および前部日除け板９を機器本体４に固定する専用のブラケットやねじ類が不要となる。したがって、通信機器１の部品点数を減らすことができ、通信機器１のコストの低減に寄与するといった利点がある。
【００７７】
第１および第２の実施形態では、左右の側部日除け板がフランジ部を有しているが、通信機器（電子機器）の具体的な構成は、前記第１および第２の実施形態に限定されるものではない。
【００７８】
例えば、側部日除け板からフランジ部を省略するとともに、前部日除け板の左右の側縁に夫々前部日除け板の後方に向けて直角に折り曲げられたフランジ部を形成し、これらフランジ部の間に前扉を介在させるようにしてもよい。
【００７９】
この構成によれば、側部日除け板の前縁が前扉よりも後退するので、例えば前扉を前部日除け板と一緒に筐体から取り外す必要が生じた時に、側部日除け板が邪魔となることはない。このため、前扉を筐体から取り外したり、筐体に取り付ける作業を容易に行うことができる。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
４…機器本体、５…第１の日除け板（上部日除け板）、第２の日除け板（側部日除け板、後部日除け板、前部日除け板）、１２，１４ａ，１４ｂ，１５…周面（前扉、側面、背面）、２２ａ，２２ｂ…開口、２３…突出部（ブラケット）、２７，４４…換気口、３０…隙間、４０…曲げ部、４１…第１の壁部、４２…第２の壁部。
【図１】
2013065635.tif 000003
【図２】
2013065635.tif 000004
【図３】
2013065635.tif 000005
【図４】
2013065635.tif 000006
【図５】
2013065635.tif 000007
【図６】
2013065635.tif 000008
【図７】
2013065635.tif 000009